(57)【要約】通信局（１）と通信するように設計される中継器（２）が、中継器（２）の少なくとも２つの群（ＧＲ１、ＧＲ２、ＧＲ３、・・・、ＧＲｎ）のうちの１つに属するかを識別する方法を用いて、第１に、中継器（２）の各々の群（ＧＲ１、ＧＲ２、ＧＲ３、・・・、ＧＲｎ）に関して、中継器（２）の前記群（ＧＲ１、ＧＲ２、ＧＲ３、・・・、ＧＲｎ）に関して有意である確認データ・ブロック（ＣＲＣ１、ＣＲＣ２、ＣＲＣ３、・・・、ＣＲＣｎ）が発生され、第２に、中継器（２）の前記群（ＧＲ１、ＧＲ２、ＧＲ３、・・・、ＧＲｎ）に関して有意である前記確認データ・ブロック（ＣＲＣ１、ＣＲＣ２、ＣＲＣ３、・・・、ＣＲＣｎ）からのデータが、前記中継器（２）が、中継器（２）の群（ＧＲ１、ＧＲ２、ＧＲ３、・・・、ＧＲｎ）に属するかの識別に関して評価をする。
2006507581.tif 000002
【特許請求の範囲】
【請求項１】
通信局と通信するように設計される中継器が、中継器の少なくとも２つの群のうちの１つに属するかを識別する方法であって、当該方法の下に、前記中継器と通信するように設計される前記通信局が、要求信号を前記中継器に供給し、前記要求信号が、命令データ・ブロック及び確認データ・ブロックを有し、当該方法の下に、前記要求信号に含まれるデータは、前記中継器が中継器の群に属するかを識別するために、前記中継器において評価される方法であって、
中継器の各々の群に関して、中継器の前記群に関して有意である確認データ・ブロックが発生され、前記中継器が中継器の群に属するかの識別に関して評価される前記データは、中継器の前記群に関して有意である前記確認データ・ブロックからのデータである、方法。
【請求項２】
請求項１に記載の方法であって、
中継器の前記群に関して有意であるＣＲＣデータ・ブロックが、中継器の前記群に関して有意である前記確認データ・ブロックとして選択されるような、
方法。
【請求項３】
中継器と通信する通信局であって、前記中継器が、中継器の少なくとも２つの群のうちの１つに属し、前記通信局が、請求項１及び２のいずれか一項に記載の方法を実施する手段を含む、
通信局。
【請求項４】
請求項３に記載の通信局であって、
確認データ・ブロック発生手段が備えられ、
前記確認データ・ブロック発生手段が、ＣＲＣデータ・ブロック発生手段の形を取り、前記ＣＲＣデータ・ブロック発生手段が、開始値を記憶するように備えられる開始値メモリ手段と相互作用し、前記開始値が、前記ＣＲＣデータ・ブロック発生手段におけるＣＲＣデータ・ブロックの発生に影響を及ぼすように備えられ、
前記開始値メモリ手段が、プログラム可能な設計であり、異なる開始値を記憶するように設計され、前記異なる開始値が、前記開始値メモリ手段に書き込まれ得、異なるＣＲＣデータ・ブロックの発生に責任を負い、前記異なるＣＲＣデータ・ブロックのうち、各々のＣＲＣデータ・ブロックが、中継器の群に関して有意である、
通信局。
【請求項５】
中継器と通信する通信局に関する回路であって、前記中継器が、中継器の少なくとも２つの群のうちの１つに属し、
前記回路が、請求項１及び２のいずれか一項に記載の方法を実施する手段を含む、
回路。
【請求項６】
請求項５に記載の回路であって、
確認データ・ブロック発生手段が備えられ、
前記確認データ・ブロック発生手段が、ＣＲＣデータ・ブロック発生手段の形を取り、前記ＣＲＣデータ・ブロック発生手段が、開始値を記憶するように備えられる開始値メモリ手段と相互作用し、前記開始値が、前記ＣＲＣデータ・ブロック発生手段におけるＣＲＣデータ・ブロックの発生に影響を及ぼすように備えられ、
前記開始値メモリ手段が、プログラム可能な設計であり、異なる開始値を記憶するように設計され、前記異なる開始値が、前記開始値メモリ手段に書き込まれ得、異なるＣＲＣデータ・ブロックの発生に責任を負い、前記異なるＣＲＣデータ・ブロックのうち、各々のＣＲＣデータ・ブロックが、中継器の群に関して有意である、
回路。
【請求項７】
通信局と通信する中継器であって、前記中継器が、中継器の少なくとも２つの群のうちの１つに属し、
前記中継器が、請求項１及び２のいずれか一項に記載の方法を実施する手段を含む、
中継器。
【請求項８】
請求項７に記載の中継器であって、
確認データ・ブロック発生手段が備えられ、
前記確認データ・ブロック発生手段が、ＣＲＣデータ・ブロック発生手段の形を取り、前記ＣＲＣデータ・ブロック発生手段が、開始値を記憶するように備えられる開始値メモリ手段と相互作用し、前記開始値が、前記ＣＲＣデータ・ブロック発生手段におけるＣＲＣデータ・ブロックの発生に影響を及ぼすように備えられ、
前記開始値メモリ手段が、プログラム可能な設計であり、異なる開始値を記憶するように設計され、前記異なる開始値が、前記開始値メモリ手段に書き込まれ得、異なるＣＲＣデータ・ブロックの発生に責任を負い、前記異なるＣＲＣデータ・ブロックのうち、各々のＣＲＣデータ・ブロックが、中継器の群に関して有意である、
中継器。
【請求項９】
請求項８に記載の中継器であって、
前記開始値メモリ手段が、少なくとも２つの異なる開始値を記憶するように設計され、
前記少なくとも２つの開始値から選択される１つの開始値を前記ＣＲＣデータ・ブロック開始手段に送信する手段が備えられる、
中継器。
【請求項１０】
通信局と通信する中継器に関する回路であって、前記中継器が、中継器の少なくとも２つの群のうちの１つに属し、
前記回路が、請求項１及び２のいずれか一項に記載の方法を実施する手段を含む、
回路。
【請求項１１】
請求項１０に記載の回路であって、
確認データ・ブロック発生手段が備えられ、
前記確認データ・ブロック発生手段が、ＣＲＣデータ・ブロック発生手段の形を取り、前記ＣＲＣデータ・ブロック発生手段が、開始値を記憶するように備えられる開始値メモリ手段と相互作用し、前記開始値が、前記ＣＲＣデータ・ブロック発生手段におけるＣＲＣデータ・ブロックの発生に影響を及ぼすように備えられ、
前記開始値メモリ手段が、プログラム可能な設計であり、異なる開始値を記憶するように設計され、前記異なる開始値が、前記開始値メモリ手段に書き込まれ得、異なるＣＲＣデータ・ブロックの発生に責任を負い、前記異なるＣＲＣデータ・ブロックのうち、各々のＣＲＣデータ・ブロックが、中継器の群に関して有意である、
回路。
【請求項１２】
請求項１１に記載の回路であって、
前記開始値メモリ手段が、少なくとも２つの異なる開始値を記憶するように設計され、
前記少なくとも２つの開始値から選択される１つの開始値を前記ＣＲＣデータ・ブロック開始手段に送信する手段が備えられる、
回路。
【発明の詳細な説明】
【技術分野】
【０００１】
本発明は、通信局と通信するように設計される中継器が中継器の少なくとも２つの群のうちの１つに属するかを識別する方法であって、当該方法の下において、前記中継器と通信するように設計される前記通信局が、要求信号を前記中継器に送信し、前記要求信号は、命令データ・ブロック及び確認データ・ブロックを有し、更に当該方法の下において、前記要求信号において含まれるデータは、前記中継器が中継器の群に属するかを識別するために、前記中継器において評価されるような、方法に関する。
【０００２】
本発明は、更に、中継器の少なくとも２つの群のうちの１つに属するような中継器と通信する通信局に関する。
【０００３】
本発明は、更に、中継器の少なくとも２つの群のうちの１つに属するような中継器と通信する通信局に関する回路に関する。
【０００４】
本発明は、更に、通信局と通信する中継器であって、中継器の少なくとも２つの群のうちの１つに属する中継器に関する。
【０００５】
本発明は、更に、通信局と通信する中継器であると共に中継器の少なくとも２つの群のうちの１つに属する中継器に関する回路に関する。
【背景技術】
【０００６】
この種の方法、この種の通信局、通信局に関するこの種の回路、この種の中継器及び中継器に関するこの種の回路は、ＩＳＯ規格１５６９３の形で公表されており、したがって既知である。
【０００７】
前記既知の解決法の場合において、中継器の群がアドレス処理され得ると共に群要求信号を指定されるのに用いられる要求信号は、確認データ・ブロックと命令区分及びパラメータ区分を有する命令データ・ブロックとを有する。これにより、個別のデータ・ブロックが、群要求信号のパラメータ区分において備えられ、該個別のデータ・ブロックは、ＡＦＩデータ・ブロックが指定され、合計８ビット、すなわち１バイトを有し、中継器の各々の群に関して有意に選択され指定される。略語のＡＦＩは、アプリケーション・フィールド識別子（Ａｐｐｌｉｃａｔｉｏｎ・Ｆｉｅｌｄ・Ｉｄｅｎｔｉｆｉｅｒ）を表す。ＡＦＩデータ・ブロックは、既知の通信局において発生され、既知の通信局の通信域において存在する既知の中継器に伝送され、これらの中継器において評価される。通信局と通信するように設計される中継器が、中継器の少なくとも２つ群のうちの１つに属するかについての良好な識別は、既知の解決法で保証されるが、既知の解決法は、個別のデータ・ブロック、すなわちＡＦＩデータ・ブロックが、中継器が中継器の群に属するかの識別を可能にするために、群要求信号のパラメータ区分において必要であるという不利な点を有する。通信局から中継器への伝送に関して、この種の個別のＡＦＩデータ・ブロックは、不運にも、追加的な伝送時間間隔を必要とし、加えて、この種の個別のＡＦＩデータ・ブロックは、伝送周波数スペクトルに不利な影響を有し、したがって、既知の解決法が改善を必要とするということが生じさせていた。
【発明の開示】
【発明が解決しようとする課題】
【０００８】
本発明の目的は、改善を必要とする既知の方法を改善すること、すなわち、この方法の応用において生じる不利な点を排除すること、並びに改善された方法、改善された通信局、通信局に関する改善された回路、改善された中継器及び中継器に関する改善された回路を実現することである。
【課題を解決するための手段】
【０００９】
上述の目的を実現するために、本発明に従う特徴は、本発明に従う方法において与えられ、本発明に従う方法は、以下の点を、すなわち、
通信局と通信することを所望とされる中継器が中継器の少なくとも２つの群のうちの１つに属するかを識別する方法であり、当該方法において、前記中継器と通信することを所望とされる前記通信局が、要求信号を前記中継器に供給し、前記供給信号が、命令データ・ブロック及び確認データ・ブロックを有し、当該方法において、前記要求信号に含まれるデータが、前記中継器が中継器の群に属するかを識別するために前記中継器において評価され、中継器の各々の群において、中継器の前記群に関して有意（ｓｉｇｎｉｆｉｃａｎｔ）である確認データ・ブロックが発生され、前記中継器が中継器の群に属するかの識別に関して評価される前記データが、中継器の前記群に関して有意である前記確認データ・ブロックからのデータである、方法であることを特徴とし得る。
【００１０】
上述の目的を実現するために、本発明に従う特徴は、本発明に従う通信局において与えられ、本発明に従う通信装置は、以下の点を、すなわち、
中継器と通信する通信局であり、前記中継器は、中継器の少なくとも２つの群のうちの１つに属し、前記通信局は、本発明に従う方法を実施する手段を有する、通信局であることを特徴とし得る。
【００１１】
上述の目的を実現するために、本発明に従う特徴は、本発明に従う通信局に関して与えられる回路において与えられ、本発明に従うこの種の回路は、以下の点を、すなわち、
中継器と通信する通信局に関する回路であり、前記中継器が、中継器の少なくとも２つの群のうちの１つに属し、前記回路が、本発明に従う方法を実施する手段を有する、回路であることを特徴とし得る。
【００１２】
上述の目的を実現するために、本発明に従う特徴は、本発明に従う中継器において与えられ、本発明に従う中継器は、以下の点を、すなわち、
通信局と通信する中継器であり、前記中継器は、中継器の少なくとも２つの群のうちの１つに属し、前記中継器は、本発明に従う方法を実施する手段を含む、中継器であることを特徴とし得る。
【００１３】
上述の目的を実現するために、本発明に従う特徴は、本発明に従う中継器に関して与えられる回路において与えられ、本発明に従うこの種の回路は、以下の点を、すなわち、
通信局と通信する中継器に関する回路であって、前記中継器が、中継器の少なくとも２つの群のうちの１つに属し、前記回路が、本発明に従う方法を実施する手段を有する、回路であることを特徴とし得る。
【００１４】
本発明に従う特徴の提供を通じ、通信局と通信するように設計される中継器が中継器の少なくとも２つの群のうちの１つに属するかを識別するために、中継器の群に関して有意である確認データ・ブロックに含まれるデータが用いられ、この種の確認データ・ブロックがいずれにしても用いられる必要があり、したがって、いずれの場合においても供給及び伝送される必要があり、その結果として、伝送時間が、既知の解決法と比べて節約され得、より少ない高エネルギー側帯が伝送周波数スペクトルにおいて発生するので、以上のことは、何の分離されたデータも、識別の目的に関して伝送される必要がないという有利な点を与えるということが得られる。
【００１５】
本発明に従う方法の場合において、いわゆるパリティ・ビット方法によって発生された確認データ・ブロックは、確認データ・ブロックとして選択され伝送され得る。しかし、ＣＲＣデータ・ブロックが確認データ・ブロックとして選択される場合、特に有利であることが分かっている。この種のＣＲＣデータ・ブロックは、伝送エラーに対して非常に高水準の安全性の有利な点を与えると共に、伝送エラーに対しての高水準の安全性にもかかわらず発生するいかなる伝送エラーも削除され得、ある場合においては補正さえもされ得るという有利な点を与える。
【００１６】
本発明に従う通信局の場合、及び通信局に関する本発明に従う回路の場合において、加えて、請求項４及び請求項６の夫々に記載の特徴が与えられる場合、有利であることが分かっている。この種の設計は、この設計を用いると、通信局において及び通信局に関する回路の夫々において、非常に容易な実現化が可能にされるので、特に有利であることが分かっている。
【００１７】
本発明に従う中継器の場合、及び中継器に関する本発明に従う回路の場合において、加えて、請求項８及び請求項１１に記載の夫々に特徴が与えられる場合、極めて有利であることが分かっている。この種の設計は、この設計を用いると、前記中継器及び中継器に関する前記回路の夫々において、非常に容易な実現化が可能にされ、前記回路は、集積回路として実現され、その場合に、非常に小さい表面領域のみがここにおいて話題とされる特徴の実現に関して必要とされるので、特に有利であることが分かっている。
【００１８】
本発明に従う中継器の場合、及び中継器に関する本発明に従う回路の場合において、上記の段落において引用されるように、開始値メモリ手段が少なくとも２つの異なる開始値を記憶するように設計される場合と共に、前記少なくとも２つの開始値から選択された１つの開始値をＣＲＣデータ・ブロック発生手段へ供給する手段が備えられる場合、極めて有利であることが分かっている。結果として、中継器に関する回路の製造を終了し、回路の製造業者の施設において及び中継器の製造業者の施設において請け負われる検査手順において、又は、中継器の製造を終了させるプログラム手順においてのどちらかにおいて、開始値を選択することは、極めて簡単な形式で、可能である。前記開始値メモリ手段は、中継器にいずれにしても与えられる半導体メモリの部分の形を取り得ることも言及されるべきである。しかし、前記開始値メモリ手段は、中継器の集積回路にいずれにしても存在する金属化層によっても形成され得る、すなわち、ハードウェアの点において実現されるメモリ手段の形を取り得、前記集積回路において設定され得る制御ビットは、前記金属化層によって記憶される開始値の選択に関して設定され得、したがって、前記特定の所望の開始値は、前記中継器において有効にされている。
【００１９】
本発明の上記の態様及び更なる態様は、以下において説明される。
【００２０】
本発明は、本発明が制限されない図面に示される実施例の例を参照にして更に説明され得る。
【発明を実施するための最良の形態】
【００２１】
図１は、通信局１を示し、図２は、中継器２を示す。通信局１は、回路３を含み、必ずしもそうである必要はないが、集積回路として実現される。中継器２は、集積回路４を含む。通信局１及び中継器２は、相互に対する非接触通信に関して設計される。通常の応用の場合、複数の中継器２は、通信局１と相互通信し得、中継器２は、通信局１の通信領域に位置される。これにより、中継器２は、中継器２の異なる群に分割され、この部分区分けは、最も多様性のある態様を考慮している可能性がある。例えば、食品スーパーマーケットにおいて購入され得る製品の区分けは、商品番号及び値段に従い作成され得る。区分けは、例えば化粧品、飲料、パン類製品及び野菜等の異なる商品の種類に従って行われ得、この場合４つの中継器の群が、存在し得る。例えばＩＳＯ規格１５６９３に従うような規格準拠中継器、及び規格非準拠中継器への区分けも、作成され得る。中継器２の各々に含まれるデータの読み込み又は中継器２の各々の書込みが生じ得る前に、複数の中継器２のいわゆる棚卸は、中継器２と非接触形式で通信する通信局１によって請け負われなければならない。この種の棚卸の経過において、通信局１と相互通信することが可能である全ての中継器２に関する識別データは、通信局１において既知であるために、特定の中継器２に関連する有意な識別データは、特定の中継器２から各々の中継器２に関する通信局１へ伝送されると共に通信局１に記憶され、その結果、中継器２に関して有意である前記識別データを用いて、通信局１は、例えば、関与する中継器２から有用なデータを読み込むため又は関与する中継器２へ有用なデータを読み込むために、対象とされる混同されない形式で関与する中継器２と相互通信に関わり始め得ることを可能にされる。複数の中継器２のこの種の棚卸が行われる前に、中継器２が特定の中継器２の群に属するかの識別も行われなければならない。この識別は、更に以下に説明される。
【００２２】
通信局１は、マイクロコンピュータ５を含む。また配線（ｈａｒｄ・ｗｉｒｅｄ）論理回路が、マイクロコンピュータ５の代わりに与えられ得る。通信局１は、更に、水晶振動子６を含み、この水晶振動子６を用いて、クロック信号ＣＬＫが発生され得、前記クロック信号ＣＬＫは、マイクロコンピュータ５へ送信される。マイクロコンピュータ５は、ＨＯＳＴ計算機とマイクロコンピュータ５との間においてデータ交換が行われるために、図１には示されないが、ＨＯＳＴ計算機へのＢＵＳ接続７を介して接続される。マイクロコンピュータ５を用いて、複数の手段及び機能が実現されるが、本文章において有意である手段及び機能のみが、ここにおいて更に詳細に説明される。
【００２３】
マイクロコンピュータ５は、シーケンス制御手段８を含み、これにより、マイクロコンピュータ５において実行され得るシーケンスが、制御され得る。マイクロコンピュータ５は、更に、フレーム・データ・ブロック発生手段９、命令データ・ブロック発生手段１０、パラメータ・データ・ブロック発生手段１１、確認データ・ブロック発生手段１２、開始値メモリ手段１３、符号化手段１４及び復号化手段１５を含む。またマイクロコンピュータ５は、ここにおいて更に詳細に説明されないが、一連の更なる命令発生手段、信号発生手段、命令識別手段及び信号識別手段も含む。
【００２４】
図３は、要求信号ＲＥＱＳの構造を概略的に示す。図３において確認され得るように、要求信号ＲＥＱＳは、「フレームの開始」データ・ブロック、「命令」データ・ブロック、「パラメータ」データ・ブロック、いわゆるＣＲＣチェックサム・データ・ブロックである「ＣＲＣ」確認データ・ブロック及び「フレームの終了」データ・ブロックを有する。全ての他の命令信号は、少なくとも本質的に、同じ構造を表す。開始データ・ブロックは、特定の命令信号の開始を同定する。命令データ・ブロックは、例えば、「応答」、「書込み」、「読み込み」及び「削除」命令等のうちの１つである、中継器２に向けられる少なくとも１つの特定の命令を同定する。パラメータ・データ・ブロックは、「読み込み」命令に関連する、例えば追加的な情報「メモリ位置ｘｙにおいて開始しメモリ位置ｙｚまでに含まれる全てのデータ」のような、命令に関連する追加的な情報を同定する。ＣＲＣチェックサム・データ・ブロックは、発生が以下に説明されるチェックサムを同定する。終了データ・ブロックは、特定の命令信号の終了を同定する。
【００２５】
フレーム・データ・ブロック発生手段９は、２つのフレーム・データ・ブロック、すなわち、「フレームの開始」データ・ブロック及び「フレームの終了」データ・ブロックを発生する役目を果たす。命令データ・ブロック発生手段１０は、「命令」データ・ブロックを発生する役目を果たす。パラメータ・データ・ブロック発生手段１１は、「パラメータ」データ・ブロックを発生する役目を果たす。確認データ・ブロック発生手段１２は、確認データ・ブロック、すなわち、ＣＲＣチェックサム・データ・ブロックを発生する役目を果たす。
【００２６】
開始値メモリ手段１３は、プログラマブルな設計であり、第１開始値ＳＶ１、第２開始値ＳＶ２及び第３開始値ＳＶ３を記憶する役目を果たし、これら３つの開始値ＳＶ１、ＳＶ２及びＳＶ３の各々は、開始値ＳＶ１、ＳＶ２、ＳＶ３、・・・、ＳＶｎの群から選択され、各々の場合において、中継器２の群ＧＲ１、ＧＲ２、・・・、ＧＲｎに割り当てられる。この場合において、第１開始値ＳＶ１のみが、第１開始値メモリ手段１３において記憶されてあり、ＨＯＳＴ計算機によってＢＵＳ接続７及びシーケンス制御手段８を介して開始値メモリ手段１３へ送信されたと仮定する。また例えば２つ、３つ、４つ又はより多くの複数の開始値も、記憶され得、異なる開始値は、適切な手段を用いて、好ましくはシーケンス制御手段８を用いて、各々の場合において有効にされ得、特定の場合において有効にされたこの開始値は、確認データ・ブロック発生手段１２へ送信される。
【００２７】
これにより、各々の開始値ＳＶ１、ＳＶ２、ＳＶ３、・・・、ＳＶｎは、中継器２の群ＧＲ１、ＧＲ２、ＧＲ３、・・・、ＧＲｎに割り当てられ、このことは、有効にされた特定の開始値に応じて、中継器２の割り当てられた群ＧＲ１、ＧＲ２、ＧＲ３、・・・、ＧＲｎに関して有意であるＣＲＣチェックサム・データ・ブロックＣＲＣ１、ＣＲＣ２、ＣＲＣ３、・・・、ＣＲＣｎが発生されるという結果を有する。またこのことは、当然、ただ１つの開始値が、開始値メモリ手段１３において記憶され、その後、この開始値に対応して、中継器２の群に関して有意であるＣＲＣチェックサム・データ・ブロックが発生され得る場合に適用する。したがって、様々な開始値ＳＶ１、ＳＶ２、ＳＶ３、・・・、ＳＶｎは、異なるＣＲＣチェックサム・データ・ブロックＣＲＣ１、ＣＲＣ２、ＣＲＣ３、・・・、ＣＲＣｎの発生の責任を負い、前記異なるＣＲＣチェックサム・データ・ブロックＣＲＣ１、ＣＲＣ２、ＣＲＣ３、・・・、ＣＲＣｎのうち、各々のＣＲＣチェックサム・データ・ブロックＣＲＣ１、ＣＲＣ２、ＣＲＣ３、・・・、ＣＲＣｎは、中継器２の群ＧＲ１、ＧＲ２、ＧＲ３、・・・、ＧＲｎに関して有意である。
【００２８】
符号化手段１４は、符号化手段１４に送信された命令及び信号を符号化する役目を果たし、これにより、フレーム・データ・ブロック、命令データ・ブロック、パラメータ・データ・ブロック及び確認データ・ブロック、すなわち、例えば、要求信号ＲＥＱＳの全体を符号化する役目も果たす。符号化手段１４に送信された要求信号ＲＥＱＳの符号化の後に、符号化手段１４は、符号化要求信号ＣＲＥＱＳを供給する。復号化手段１５は、復号化手段１５に送信された符号化された信号、例えば符号化された応答信号ＣＲＳを復号化する役目を果たす。復号化の後に、復号化手段１５は、復号化信号、例えば復号化された応答信号ＲＳを供給する。
【００２９】
以下のものは、確認データ・ブロック発生手段１２に関して述べられる。「命令」データ・ブロック、「パラメータ」データ・ブロック及び開始値ＳＶ１、ＳＶ２、ＳＶ３、・・・、ＳＶｎは、確認データ・ブロック発生手段１２に送信される。「命令」データ・ブロック及び関連する「パラメータ」データ・ブロックは、規定される（ｓｔｉｐｕｌａｔｅ）アルゴリズムによって処理を受け、前記用いられるアルゴリズムは、開始値ＳＶ１、ＳＶ２、ＳＶ３、・・・、ＳＶｎによって影響され、「命令」データ・ブロック及び「パラメータ」データ・ブロックの処理の結果として得られたＣＲＣチェックサム・データ・ブロックＣＲＣ１、ＣＲＣ２、ＣＲＣ３、・・・、ＣＲＣｎは、開始値ＳＶ１、ＳＶ２、ＳＶ３、・・・、ＳＶｎに依存する。言い換えると、このことは、第１開始値ＳＶ１が開始値メモリ手段１３に記憶される場合において、中継器２の第１群ＧＲ１に関して有意である第１ＣＲＣチェックサム・データ・ブロックＣＲＣ１が得られることを意味する。異なる開始値、例えば第２開始値ＳＶ２又は第３開始値ＳＶ３が開始値メモリ手段１３に記憶される場合において、異なるＣＲＣチェックサム・データ・ブロック、すなわち第２ＣＲＣチェックサム・データ・ブロックＣＲＣ２又は第３ＣＲＣチェックサム・データ・ブロックＣＲＣ３が得られる。第２ＣＲＣチェックサム・データ・ブロックＣＲＣ２は、中継器２の第２群ＧＲ２に関して有意である。第３ＣＲＣチェックサム・データ・ブロックＣＲＣ３は、中継器２の第３群ＧＲ３に関して有意である。この種のＣＲＣチェックサム・データ・ブロックの発生は、既に長い間において周知であり、したがって、更なる詳細は、本文章においては与えられないことを特記しなければならない。
【００３０】
通信局１は、更に、変調手段１６を含み、符号化手段１５によって発生される符号化要求信号ＣＲＥＱＳは、変調手段１６へ送信され得、加えて、搬送信号ＣＳも、変調手段１６へ送信され得る。搬送信号ＣＳの発生に関して、通信局１は、クロック信号ＣＬＫが水晶振動子６から送信され得て、クロック信号ＣＬＫを用いて搬送信号ＣＳを発生する、搬送信号発生器１７を含む。搬送信号ＣＳは、供給される符号化要求信号ＣＲＥＱＳを用いて、変調手段１６によって変調され得、そして変調の後に、変調手段１６は、変調された符号化要求信号ＭＣＲＥＱＳを供給する。変調された符号化要求信号ＭＣＲＥＱＳは、この変調された符号化要求信号ＭＣＲＥＱＳの増幅を扱う第１増幅手段１８へ送信され得る。符号化要求信号ＣＲＥＱＳを用いての変調されてない搬送信号ＣＳの上述の変調ステップは、通信局１から中継器２への所望の命令伝送の場合に、行われる。中継器２から通信局１への所望の信号伝送の場合に、搬送信号発生器１７によって発生された、変調されていない搬送信号ＣＳは、変調手段１６から第１増幅手段１８へ変調されていない形式で通過される。変調された符号化要求信号ＭＣＲＥＱＳ及び変調されていない搬送信号ＣＳの両方は、増幅手段１８から同調手段１９へ送信され得、前記同調手段１９は、同調手段１９に送信された、変調された符号化要求信号ＭＣＲＥＱＳ及び搬送信号ＣＳを、この場合においては伝送コイル２１を有する局伝送手段２０へと通過させる。伝送コイル２１は、中継器２の伝送コイルと結合するような、誘導性体、すなわち変圧器に関して与えられる。局伝送手段２０は、伝送コイル２１の代わりに伝送に関して双極子を具備し得る。伝送コイル２１又は双極子を備える局伝送手段２０の代わりに、容量性方式又は光学方式で動作する局伝送手段も、与えられ得る。
【００３１】
局伝送手段２０は、命令及び信号を通信局１から通信局１の通信領域に存在する中継器２へ伝送するだけではなく、現在話題にしている中継器２から通信局１へ伝送されるべき信号を受信する役目を果たす。例えば、応答信号ＲＳが、中継器２から通信局１へ伝送されることになっている。これら応答信号ＲＳの伝送は、応答信号ＲＳが符号化され、変調されるような形式で行われ、変調された符号化応答信号ＭＣＲＳは、局伝送手段２０を用いて受信される。受信された変調済み符号化応答信号ＭＣＲＳは、局伝送手段２０から同調手段１９を介して第１ろ過手段２２へ送信され、前記第１ろ過手段２２は、干渉要素をフィルタに掛けて除去し、干渉のない変調された符号化応答信号ＭＣＲＳを復調手段２３へ供給する。復調手段２３は、この復調手段２３に送信される変調された符号化応答信号ＭＣＲＳを復調するように設計される。変調された符号化応答信号ＭＣＲＳの復調ステップに続いて、復調手段２３は、符号化応答信号ＣＲＳを、第２増幅手段２４へ送信し、この第２増幅手段２４は、第２増幅手段２４に送信される符号化応答信号ＣＲＳを増幅する。第２増幅手段２４の下流に接続されるのは、更なるろ過を請け負う第２ろ過手段２５であり、このろ過ステップに続いて、符号化応答信号ＣＲＳを復号化手段１５へ送信する。
【００３２】
既に述べられたように、通信局１が、与えられ、複数の中継器との非接触通信に関して設計されている。全ての中継器２は、同じ設計であり、図２に示される中継器を参照にして以下に説明される。
【００３３】
集積回路４に加えて、中継器２は、集積回路４の第１ポート２７及び第２ポート２８に接続される伝送コイル２６を含む。中継器２は、伝送コイル２６を用いて、通信局１の伝送コイル２１を介して非接触形式で通信局１と通信し得る。集積回路４に含まれるキャパシタ２９は、伝送コイル２６と平行に接続される。伝送コイル２６及びキャパシタ２９は、中継器伝送手段３０の構成成分であり、作動周波数に調整される発振回路を形成する。局伝送手段３０は、伝送に関して伝送コイル２６の代わりに双極子を具備し得る。伝送コイル２６又は双極子を備える局伝送手段３０の代わりに、容量性方式又は光学方式で動作する局伝送手段も、与えられ得る。
【００３４】
中継器２の及び結果的には複数の中継器２の集積回路４は、供給電圧発生手段３１、クロック信号発生手段３２、復号化手段３３及び符号化手段３４を含む。これら４つの手段３１、３２、３３及び３４は、中継器伝送手段３０に各々に接続される。
【００３５】
供給電圧発生手段３１は、中継器伝送手段３０から供給される信号を用いて、すなわち、例えば変調された符号化要求信号ＭＣＲＥＱＳ又は変調されていない搬送信号ＣＳを用いて供給電圧Ｖを発生する役目を果たす。供給電圧発生手段３１によって発生され得る供給電圧Ｖは、この供給電圧Ｖを必要とする集積回路の全ての成分に送信され得るが、図２において個別に示されない。「電源オン」識別手段３５は、供給電圧発生手段３１に接続され、この「電源オン」識別手段３５に対し、供給電圧発生手段３１の出力信号、すなわち発生される特定の供給電圧Ｖが、送信され得る。「電源オン」識別手段３５によって、十分に高い供給電圧Ｖが入手可能であるかということが識別され得る。この種の十分に高い供給電圧Ｖが入手可能である場合、「電源オン」識別手段３５は、いわゆる「電源オン」リセット信号ＰＯＲを供給する。
【００３６】
クロック信号再発生手段３２は、中継器伝送手段３０から供給される信号を用いて、すなわち、例えば変調された符号化要求信号ＭＣＲＥＱＳ又は変調されていない搬送信号ＣＳを用いてクロック信号ＣＬＫを再発生する役目を果たす。クロック信号再発生手段３２は、クロック信号ＣＬＫを供給する。またクロック信号再発生手段３２の代わりに、中継器伝送手段３０から供給される信号とは独立であり、クロック信号ＣＬＫが発生され得るのに用いる、内部発振子が、与えられ得る。この種の内部振動子は、特に、通信局と中継器との間における通信が、極めて高い作動周波数で、例えばいわゆるＵＨＦ帯域又はマイクロ波帯域における作動周波数で行われる場合、有利である。
【００３７】
復調手段３３は、復調手段３３に送信される命令及び信号を復調する役目を、すなわち、例えば変調された符号化要求信号ＭＣＲＥＱＳを復調する役目を果たす。変調された符号化要求信号ＭＣＲＥＱＳの復調化ステップの後に、復調手段３３は、符号化要求信号ＣＲＥＱＳを供給する。
【００３８】
変調手段３４は、信号を変調する役目を、すなわち変調手段３４に送信され得る符号化応答信号ＣＲＳを変調する役目を果たす。また第２搬送信号ＳＣＳも、変調手段３４に送信され得る。第２搬送信号ＳＣＳを発生するために、第２搬送信号発生器が備えられ、この第２搬送信号発生器へ、クロック信号ＣＬＫがクロック信号再発生手段３２から送信され得、この第２搬送信号発生器は、クロック信号ＣＬＫを用いて第２搬送信号ＳＣＳを発生する。変調が請け負われる場合において、第２搬送信号ＳＣＳは、変調手段３４によって、例えば、符号化要求信号ＣＲＳの関数として変調され、それにより結果として、変調手段３４は、変調された符号化応答信号ＭＣＲＳを供給し、その後、該信号ＭＣＲＳは、中継器伝送手段３０によって、ここにおいては特に伝送コイル２６によって通信局１に伝送される。
【００３９】
中継器２の及び結果的には複数の中継器２の集積回路４は、マイクロコンピュータ３７を含む。マイクロコンピュータ３７の代わりに、配線論理回路も、備えられ得る。マイクロコンピュータ３７を用いて、多数の手段及び機能が実現されるが、本文章において有意である手段及び機能のみが、ここにおいて更に詳細に説明される。「電源オン」リセット信号及びクロック信号ＣＬＫは、熟練者の間においては長い間既知である目的に関して、マイクロコンピュータ３７へ送信され得る。
【００４０】
集積回路４は、更に、接続３９を介してマイクロコンピュータ３７に接続される、メモリ手段３８を含む。メモリ手段３８は、複数のメモリ領域を有し、そのうちの１つのメモリ領域４０のみが、破線によって示され、メモリ領域４０は、プログラマブル開始値メモリ手段４０として備えられる。３つの開始値が、集積回路４を検査する検査手順において請け負われるプログラミング・シーケンスの結果としてプログラマブル開始値メモリ手段４０に記憶され、３つの開始値の各々は、中継器２の群ＧＲ１、ＧＲ２及びＧＲ３、すなわちこの場合、第１開始値ＳＶ１、第２開始値ＳＶ２及び第３開始値ＳＶ３に関して有意である。多数の更なるデータ項目が、メモリ手段３８に記憶されるが、本文章においては更に詳細に説明されない。ここにおいて説明される場合において、以下に更に詳細に説明されるように、プログラムされ結果的に保存される３つの開始値ＳＶ１、ＳＶ２及びＳＶ３のうち、第１開始値ＳＶ１のみが用いられる。
【００４１】
復号化手段４１及び符号化手段４２は、マイクロコンピュータ３７を用いて実現される。復号化手段４１は、復号化手段４１に送信される命令及び信号を復号化する、すなわち符号化要求信号ＣＲＥＱＳを復号化するのに備えられる。符号化要求信号ＣＲＥＱＳの復号化ステップの後に、復号化手段４１は、復号化された要求信号ＲＥＱＳ、すなわちフレーム・データ・ブロック、命令データ・ブロック、パラメータ・データ・ブロック及び確認データ・ブロックを供給する。符号化手段４２は、信号を符号化する役目、例えば応答信号ＲＳを符号化する役目を果たす。応答信号ＲＳの符号化ステップの後に、符号化手段４２は、符号化応答信号ＣＲＳを供給する。
【００４２】
更にマイクロコンピュータ３７によって、フレーム・データ・ブロック識別手段４３、命令データ・ブロック識別手段４４、パラメータ・データ・ブロック識別手段４５、確認データ・ブロック識別手段４６、確認データ・ブロック発生手段４７及び比較手段４８が実現される。手段４３、４４、４５、４６、４７及び４８の機能が、以下に説明される。マイクロコンピュータ３７は、更に、シーケンス制御手段４９を有し、このシーケンス制御手段４９によって、マイクロコンピュータ３７において実行され得るシーケンスが制御され得る。
【００４３】
フレーム・データ・ブロック識別手段４３は、「フレームの開始」データ・ブロック及び「フレームの終了」データ・ブロックを識別するように設計される。フレーム・データ・ブロック識別手段４３は、「フレームの開始」データ・ブロック及び「フレームの終了」データ・ブロックの両方をシーケンス制御手段４９へ供給し、その結果として、シーケンス制御手段４９は、命令信号の開始及び終了を、すなわち、また要求信号ＲＥＱＳの開始及び終了も通知される。
【００４４】
命令データ・ブロック識別手段４４が備えられ、「命令」データ・ブロックを識別するように設計されている。これにより、要求信号ＲＥＱＳの「命令」データ・ブロックも、命令データ・ブロック識別手段４４によって識別される。要求信号ＲＥＱＳの識別された「命令」データ・ブロックは、中継器２のシーケンス制御手段４９へ及び更に確認データ・ブロック発生手段４７へ送信される。
【００４５】
パラメータ・データ・ブロック識別手段４５が備えられ、命令信号の「パラメータ」データ・ブロックを識別するように、すなわち要求信号ＲＥＱＳの「パラメータ」データ・ブロックを識別するように設計されている。識別された「パラメータ」データ・ブロックは、同様に、中継器２のシーケンス制御手段４９へ及び更に確認データ・ブロック発生手段４７へ送信される。
【００４６】
確認データ・ブロック識別手段４６が備えられ、通信局１によって発生され中継器２によって受信された確認データ・ブロックを、すなわち第１ＣＲＣチェックサム・データ・ブロックを識別するように設計されている。この場合において、第１ＣＲＣチェックサム・データ・ブロックＣＲＣ１は、識別され、比較手段４８に送信される。
【００４７】
確認データ・ブロック発生手段４７が備えられ、確認データ・ブロック、すなわちこの場合においてＣＲＣチェックサム・データ・ブロックＣＲＣ１を発生するように設計されている。動作原理に関して、確認データ・ブロック発生手段４７は、確認データ・ブロック発生手段４７が、規定されたアルゴリズムに基づいて、この場合、第１ＣＲＣチェックサム・データ・ブロックＣＲＣ１である確認データ・ブロックの発生を請け負うことと共に、この目的に関して、確認データ・ブロック発生手段４７に送信される「命令」データ・ブロックと、確認データ・ブロック発生手段４７に送信される「パラメータ」データ・ブロックと、確認データ・ブロック発生手段４７に送信される開始値、すなわち、この場合、開始値メモリ手段４０に記憶される第１開始値ＳＶ１とを用いることに関して、通信局１の確認データ・ブロック発生手段１２と同じである。第１開始値ＳＶ１を確認データ・ブロック発生手段４７に送信するために、手段、すなわち第１開始値ＳＶ１を接続３９を介して確認データ・ブロック発生手段４７に送信する、シーケンス制御手段４９が設けられる。確認データ・ブロック発生手段４７によって発生された第１ＣＲＣチェックサム・データ・ブロックＣＲＣ１は、比較手段４８に送信される。
【００４８】
比較手段４８は、確認データ・ブロック識別手段４６によって供給されるＣＲＣチェックサム・データ・ブロック（すなわち、この場合における第１ＣＲＣチェックサム・データ・ブロックＣＲＣ１）及び、確認データ・ブロック発生手段４７によって発生されるＣＲＣチェックサム・データ・ブロック（すなわち、この場合における第１ＣＲＣチェックサム・データ・ブロックＣＲＣ１）を比較する役目を果たす。比較手段４８に送信される２つのＣＲＣチェックサム・データ・ブロックが一致する場合、比較手段４８は、第１制御信号ＣＳ１を供給する。反対に、比較手段４８に送信される２つのＣＲＣチェックサム・データ・ブロックが一致しない場合、比較手段４８は、第２制御信号ＣＳ２を供給する。第１制御信号ＣＳ１及び第２制御信号ＣＳ２の両方は、シーケンス制御手段４９へ送信される。第１制御信号ＣＳ１の発生の場合において、シーケンス制御手段４９は、中継器２が通信局１と更なる通信ステップを請け負うこと、すなわち、例えば読み込み手順、書込み手順又は削除手順を保証する。第２制御信号ＣＳ２の発生の場合において、シーケンス制御手段４９は、中継器２が受信された要求信号ＲＥＱＳに全く反応しないこと、すなわち、中継器２が、自動的に通信機能から取り除かれることを保証する。
【００４９】
この種の更なる通信ステップにおいて、シーケンス制御手段４９は、マイクロコンピュータ３７によって実現される応答信号発生手段５０が、後に符号化手段４２によって符号化されると共に変調手段３４によって変調される上述の応答信号ＲＳを発生し、そして、変調された符号化応答信号ＭＣＲＳが、中継器伝送手段３０によって、通信局１の局伝送手段２０へ、したがって通信局１へ伝送されることを保証し得る。
【００５０】
上述の手順であって、第１ＣＲＣチェックサム・データ・ブロックＣＲＣ１が、この場合において選択される「命令」データ・ブロック、「パラメータ」データ・ブロック及び第１開始値ＳＶ１を用いて確認データ・ブロック発生手段４７によって形成されると共に、後に続いて、通信局１によって供給され中継器２によって受信されたＣＲＣチェックサム・データ・ブロックとの前記形成されたＣＲＣチェックサム・データ・ブロックＣＲＣ１の比較を請け負われる手順の代わりに、いわゆる残差法（ｒｅｓｉｄｕｅ・ｍｅｔｈｏｄ）も、実施され得る。この残差法の下に、中継器２によって受信された「命令」データ・ブロック、中継器２によって受信された「パラメータ」データ・ブロック及び第１開始値ＳＶ１は、確認データ・ブロック発生手段４７に送信され、確認データ・ブロック発生手段４７で処理され、この処理の後に、通信局１から中継器２に伝送されたＣＲＣチェックサム・データ・ブロックＣＲＣ１も、確認データ・ブロック発生手段４７に送信され、確認データ・ブロック発生手段４７で処理される。この後者の処理の間において、いわゆる残差（ｒｅｓｉｄｕｅ）は、確認データ・ブロック発生手段４７によって形成され、前記残差は、固定データ値であり、規定された残差、すなわち規定された固定データ値と比較され、２つの残差が同値の場合、中継器２が、中継器２の規定された所望の群ＧＲ１に所属することと識別される。残差の値は、これにより、開始値に依存する。
【００５１】
既に上述のように、通信局１と中継器２との間のいかなる通信も請け負われる前に、中継器２が中継器２の群ＧＲ１、ＧＲ２、ＧＲ３、・・・、ＧＲｎに属するかを確立する又は識別されなければならない。通信局１と通信するように設計される中継器２が中継器２の第１群ＧＲ１に属するかを識別する方法は、以下に説明される。
【００５２】
当該方法が実施される前に、ここで仮定される例において、第１開始値ＳＶ１は、第１開始値ＳＶ１が開始値メモリ手段１３に記憶されるように、通信局１の開始値メモリ手段１３に書き込まれる。第１開始値ＳＶ１の書込みは、通信局１、特に通信局１に関する回路３と通信することが可能であるＨＯＳＴ計算機を用いて、ＢＵＳ接続７を介して行われる。
【００５３】
当該方法の実際の実施の前に、中継器２、特に中継器２の集積回路４において、当該方法が実施される場合、第１開始値ＳＶ１が、シーケンス制御手段４９によって開始値メモリ手段４０から読み出され、接続３９を介して確認データ・ブロック発生手段４７に送信されることを保証される。このことは、第１開始値ＳＶ１が有効にされていたという理由により、中継器２が中継器２の第１群ＧＲ１に属するということを意味する。
【００５４】
通信局１は、構成が図３に示される要求信号ＲＥＱＳを、連続して定期的に発生する。これによって、要求信号ＲＥＱＳに含まれる確認データ・ブロックは、第１開始値ＳＶ１を考慮して、確認データ・ブロック発生手段１２によって形成され、したがって、確認データ・ブロック発生手段１２は、第１ＣＲＣチェックサム・データ・ブロックＣＲＣ１を発生し、第１ＣＲＣチェックサム・データ・ブロックＣＲＣ１を要求信号ＲＥＱＳの成分として供給する。その後、発生された要求信号ＲＥＱＳは、符号化手段１４によって符号化され、変調手段１６によって変調され、したがって、この信号は、変調された符号化要求信号ＭＣＲＥＱＳの形で、通信局１の通信領域において存在する全ての中継器２に伝送され、中継器２の各々によって受信される。
【００５５】
図２に示される中継器２において、変調された符号化要求信号ＭＣＲＥＱＳは、受信され、その後復調手段３３によって復調され、その後復号化手段４１によって復号化され、したがって、受信された要求信号ＲＥＱＳは、その後中継器２、特に中継器２の集積回路４において入手可能になる。受信された要求信号ＲＥＱＳから、「フレームの開始」データ・ブロック及び「フレームの終了」データ・ブロックが、フレーム・データ・ブロック識別手段４３によって識別され、制御目的に関してシーケンス制御手段４９に渡される。受信された「命令」データ・ブロックは、命令データ・ブロック識別手段４４によって、受信された要求信号ＲＥＱＳから更に識別され、受信された「パラメータ」データ・ブロックは、パラメータ・データ・ブロック識別手段４５によって識別され、及び受信された第１ＣＲＣチェックサム・データ・ブロックは、確認データ・ブロック識別手段によって識別される。識別された「命令」データ・ブロック及び識別された「パラメータ」データ・ブロックは、更なる処理の目的に関してシーケンス制御手段４９に送信される。
【００５６】
しかし、「命令」データ・ブロック及び「パラメータ」データ・ブロックの実際の更なる処理が行われる前に、中継器２が中継器２の第１群ＧＲ１に属するかの識別が確認される。この目的のために、「命令」データ・ブロック及び「パラメータ」データ・ブロックは、確認データ・ブロック発生手段４７に送信され、また開始値メモリ手段４０に記憶される第１開始値ＳＶ１も、シーケンス制御手段４９によって、確認データ・ブロック発生手段４７に送信される。このことは、確認データ・ブロック発生手段４７が、第１ＣＲＣチェックサム・データ・ブロックＣＲＣ１を既に上で述べられた形式で発生するという結果を有する。発生された第１ＣＲＣチェックサム・データ・ブロックＣＲＣ１は、比較手段４８に送信される。確認データ・ブロック識別手段４６によって識別された、受信された第１ＣＲＣチェックサム・データ・ブロックＣＲＣ１も、比較手段４８に送信される。比較手段４８は、比較手段４８に送信された２つのデータ・ブロックの比較を請け負い、比較手段は、ここにおいて仮定される場合において、これらが同じ第１ＣＲＣチェックサム・データ・ブロックＣＲＣ１であると、確立する。このことは、比較手段４８が、第１制御信号ＣＳ１を供給し、この第１制御信号ＣＳ１が、シーケンス制御手段４９に送信されるという結果を有する。このことは、シーケンス制御手段４９が、「命令」データ・ブロック及び「パラメータ」データ・ブロックの更なる処理を認めることをもたらし、したがって、これら２つのデータ・ブロックが、更に処理され、中継器２、特に中継器２の集積回路における対応するシーケンス、例えば読み込みシーケンス、書込みシーケンス又は削除シーケンス等になる。更なる結果として、例えば、シーケンス制御手段４９は、応答信号発生手段５０を有効にし得、その後に、応答信号発生手段５０は、通信局１に伝送される応答信号ＲＳを発生する。
【００５７】
中継器２において、特に中継器２の集積回路において有効にされたのが第１開始値ＳＶ１ではなく、異なる開始値、例えば２つの開始値ＳＶ２及びＳＶ３のうちの１つであった場合、このことは、第１ＣＲＣチェックサム・データ・ブロックＣＲＣ１より寧ろ、第２ＣＲＣチェックサム・データ・ブロックＣＲＣ２又は第３ＣＲＣチェックサム・データ・ブロックＣＲＣ３が、確認データ・ブロック発生手段４７によって発生されることになる。このことは、比較手段４８が、比較手段４８に送信されるＣＲＣチェックサム・データ・ブロックの不同性を確立し、その後に、比較手段４８が、第２制御信号ＣＳ２を供給することになり得る。シーケンス制御手段４９において、第２制御信号ＣＳ２は、第２制御信号ＣＳ２が、命令データ・ブロック識別手段４４によって識別された受信された「命令」データ・ブロックと、パラメータ・データ・ブロック識別手段４５によって識別された受信された「パラメータ」データ・ブロックとの更なる処理を阻止し得、このことは望まれることである。というのも、中継器２、特に中継器２の集積回路４が、中継器２の第１群ＧＲ１ではなく中継器２の異なる群、すなわち第２開始値ＳＶ２に従う中継器２の第２群ＧＲ２又は第３開始値ＳＶ３に従う中継器２の第３群ＧＲ３の一方に属するからである。
【００５８】
当該方法の上記の説明から、この方法を用いると、中継器２の各々の群ＧＲ１、ＧＲ２、ＧＲ３、・・・、ＧＲｎに関して、中継器２の群ＧＲ１、ＧＲ２、ＧＲ３、・・・、ＧＲｎに関して有意である確認データ・ブロック（すなわち、上記のＣＲＣチェックサム・データ・ブロックが常に指定される、ＣＲＣデータ・ブロック）ＣＲＣ１、ＣＲＣ２、ＣＲＣ３、・・・、ＣＲＣｎは、通信局１の確認データ・ブロック発生手段１２及び各々の中継器２の確認データ・ブロック発生手段４７の両方によって有利に発生されることは明らかである。当該方法の上記の説明から、中継器２が中継器２の群ＧＲ１、ＧＲ２、ＧＲ３、・・・、ＧＲｎに属するかの識別に関して評価されるデータが、中継器２の群ＧＲ１、ＧＲ２、ＧＲ３、・・・、ＧＲｎに関して有意である確認データ・ブロックＣＲＣ１、ＣＲＣ２、ＣＲＣ３、・・・、ＣＲＣｎからのデータであることは、更に明らかである。ここにおいて説明される場合において、この評価は、中継器２の比較手段４８によって行われ、中継器２において発生された確認データ・ブロックＣＲＣ１及び中継器２によって受信された確認データ・ブロックＣＲＣ１は、これら２つの確認データ・ブロックの比較の目的に関して、この比較手段４８に送信される。
【００５９】
上記で説明される当該方法を用いると、中継器２が中継器２の群ＧＲ１、ＧＲ２、ＧＲ３、・・・、ＧＲｎに属するかの識別に関して必要とされるデータが、確認データ・ブロックＣＲＣ１、ＣＲＣ２、ＣＲＣ３、・・・、ＣＲＣｎが中継器２の群ＧＲ１、ＧＲ２、ＧＲ３、・・・、ＧＲｎに関して有意であるであるような、安全性のためにいずれの場合においても通信局１から中継器２に伝送される必要がある確認データ・ブロックＣＲＣ１、ＣＲＣ２、ＣＲＣ３、・・・、ＣＲＣｎからのデータによって形成され、これにより、何の追加的なデータも、中継器２が中継器２の群ＧＲ１、ＧＲ２、ＧＲ３、・・・、ＧＲｎに属するかの識別を請け負うことが可能であるために、通信局１から中継器２に伝送される必要もなくなるという大きな有利な点が得られる。
【００６０】
図１に示される通信局１の場合、通信局１が、中継器２の第１群ＧＲ１に属する中継器２とのみ通信することが可能であるために、第１開始値ＳＶ１のみが、開始値メモリ手段１３に記憶される。通信局１が、中継器２の第２群ＧＲ２に属する中継器２と通信することが可能であるべき場合、第２開始値ＳＶ２は、確認データ・ブロック発生手段が、第２ＣＲＣチェックサム・データ・ブロックＣＲＣ２を発生し得るように、開始値メモリ手段に記憶され有効にされなければならない。この種の通信局の場合、開始値メモリ手段１３において複数の開始値を記憶することも可能であり、各々の場合において、シーケンス制御手段８を用いて、中継器２の群に属する所望の開始値を呼び出すと共に、この開始値を確認データ・ブロック発生手段１２に送信することも可能である。
【００６１】
図２に示される中継器２の場合において、３つの開始値ＳＶ１、ＳＶ２及びＳＶ３の全部は、開始値メモリ手段４０に記憶される。また３つ以上の開始値も、開始値メモリ手段４０に記憶され得る。しかし、１つの開始値のみも、開始値メモリ手段４０に記憶され得る。
【００６２】
本発明に従う方法は、非接触通信で動作する通信局１を備えると共に非接触通信で動作する中継器２を備えるシステムだけでなく、接触を用いて互いに通信する通信局１及び中継器２を備えるシステムでも用いられ得る。
【００６３】
中継器２は、異なる物理的設計のチップ・カード及び中継器と同様に、タグ又はラベルであり得る。
【００６４】
図１に従う通信局１及び図２に従う中継器２を用いて実施される、上記に説明される方法の場合において、開始データ・ブロック及び終了データ・ブロックが用いられる。しかし、開始データ・ブロックだけでも、用いられ得る。またいわゆるフレーム・データ・ブロックを用いずに実施する可能性も存在する。
【図面の簡単な説明】
【００６５】
【図１】図１は、通信局が本発明の１つの実施例に従う集積回路を含む、本文章において有意である本発明の１つの実施例に従う通信局の一部を、概略的な形式で、ブロック図の形において示す。
【図２】図２は、中継器が本発明の１つの実施例に従う集積回路を含む、本文章において有意である本発明の１つの実施例に従う中継器の一部を、概略的な形式で、ブロック図の形において示す。
【図３】図３は、本発明に従う方法の経過において、図１に従う通信局１から図２に従う中継器へ伝送される要求信号の構成を概略的な形式で示す。
【図１】
2006507581.tif 000003
【図２】
2006507581.tif 000004
【図３】
2006507581.tif 000005
【国際調査報告】
2006507581.tif 000006
2006507581.tif 000007
2006507581.tif 000008